(57)【要約】【課題】片面ＦＰＣ構造において高周波帯の信号伝送線路における伝送損失の改善を図ったフレキシブルプリント配線板を提供する。【解決手段】フレキシブルプリント配線板１Ａは、一方面を露出したベース層１０と、このベース層１０の他方面に形成された信号層２０と、この信号層２０を覆い上記ベース層１０に積層されたカバー層３０と、このカバー層に被覆され上記信号層２０を覆う、金属粉と金属ナノ粒子を配合した導電性ペーストにより形成されたグランド層３３とを有して構成されている。【選択図】図１
2009177010.tif 000002
【特許請求の範囲】
【請求項１】
一方面を露出したベース層と、
前記ベース層の他方面に形成された信号層と、
前記信号層を覆い前記ベース層に積層されたカバー層と、
前記カバー層に被覆され前記信号層を覆う、金属粉と金属ナノ粒子を配合した導電性ペーストにより形成されたグランド層と、
を具備したことを特徴とするフレキシブルプリント配線板。
【請求項２】
前記信号層は、差動伝送線路を具備することを特徴とする請求項１に記載のフレキシブルプリント配線板。
【請求項３】
前記信号層は、前記差動伝送線路に並行するグランドラインを具備することを特徴とする請求項２に記載のフレキシブルプリント配線板。
【請求項４】
前記グランドラインは、前記差動伝送線路の配線方向に沿い所定の間隔で前記グランド層に導電接合していることを特徴とする請求項３に記載のフレキシブルプリント配線板。
【請求項５】
前記グランドラインは、前記カバー層に設けられた導電接合用の開口を介してスポット状に前記グランド層に導電接合していることを特徴とする請求項４に記載のフレキシブルプリント配線板。
【請求項６】
前記グランド層を前記導電接合部分を含んで保護層で被覆したことを特徴とする請求項５に記載のフレキシブルプリント配線板。
【請求項７】
前記導電性ペーストは、銀粉と銀ナノ粒子を配合したハイブリットペーストであることを特徴とする請求項１に記載のフレキシブルプリント配線板。
【請求項８】
前記ハイブリットペーストは、体積抵抗率が３０μΩ・cm以下であることを特徴とする請求項７に記載のフレキシブルプリント配線板。
【請求項９】
電子機器本体と、
前記電子機器本体に設けられた差動信号を扱う高周波回路と、
前記高周波回路の信号伝送路に接続されるフレキシブルプリント基板とを具備し、
前記フレキシブルプリント基板は、
一方面を露出したベース層と、
前記ベース層の他方面に形成された、差動伝送線路を有する信号層と、
前記信号層を覆い前記ベース層に積層されたカバー層と、
前記カバー層を介して前記差動信号線路を覆う、金属粉と金属ナノ粒子を配合した導電性ペーストにより形成されたグランド層と、
を具備して構成されていることを特徴とする電子機器。
【請求項１０】
前記導電性ペーストは、銀粉と銀ナノ粒子を配合した体積抵抗率が３０μΩ・cm以下のハイブリットペーストであることを特徴とする請求項９に記載の電子機器。
【発明の詳細な説明】
【技術分野】
【０００１】
本発明は、差動伝送方式の高周波帯信号を扱う回路に適用して好適なフレキシブルプリント配線板に関する。
【背景技術】
【０００２】
情報処理機器においては、筐体内において屈曲状態で実装が可能な配線自由度の高いフレキシブルプリント配線板が多用される。情報処理機器における処理の高速化、回路の高密度化に伴い、同機器の筐体内に実装されるフレキシブルプリント配線板においても、マイクロ波（ＵＨＦ）帯からセンチ波（ＳＨＦ）帯、さらにセンチ波からミリ波（ＥＨＦ）帯への移行を視野に、伝送損失を考慮した高周波帯信号のプリント配線による伝送線路形成技術が要求されている。
【０００３】
信号の伝送速度が高速でない回路においては、シングルエンド形式の伝送線路が多用されるが、数百ＭＨｚ以上の高周波帯の信号を伝送する場合、信号の低電圧化と差動伝送方式の組み合わせによる信号伝送形態の伝送線路が多用される。差動伝送方式は、一つの信号を順位相と逆位相の二つの信号に変えて、それぞれを平行した２本の伝送線路を介し伝送するもので、低電圧による信号伝送と耐ノイズ性に優れた特性を有している。
【０００４】
この種、伝送線路形成技術として、従来では、一方端側に差動信号を扱う第１のデバイスを設け、他方端側に同じく差動信号を扱う第２のデバイスを設けて、この各デバイス間の間を一定インピーダンスの差動信号線ペアで接続した、２層銅箔構造のフレキシブル基板（両面ＦＰＣ）が提案されている（特許文献１参照）。
【特許文献１】特開２００５−２６００６６
【発明の開示】
【発明が解決しようとする課題】
【０００５】
上記した両面ＦＰＣにおいては、第１層を信号層、第２層をグランド層とし、信号層に差動信号線路を設けることにより、伝送損失の少ない差動信号回路を形成することができる。しかしながら、この両面ＦＰＣは、絶縁基材の両面に銅箔の導電層が形成される構造であることから、単層銅箔構造のフレキシブル基板（片面ＦＰＣ）に較べて、屈曲性に劣り、可動部への使用に対して耐久性に劣るという問題があった。
【０００６】
本発明は、上記した両面ＦＰＣの問題点を改善し、かつ高周波帯域での伝送損失の劣化を改善したフレキシブルプリント配線板を提供することを目的とする。
【課題を解決するための手段】
【０００７】
本発明は、一方面を露出したベース層と、前記ベース層の他方面に形成された信号層と、前記信号層を覆い前記ベース層に積層されたカバー層と、前記カバー層に被覆され前記信号層を覆う、金属粉と金属ナノ粒子を配合した導電性ペーストにより形成されたグランド層と、を具備したフレキシブルプリント配線板を提供する。
【発明の効果】
【０００８】
本発明によれば、高周波帯域での伝送損失の劣化を改善した片面ＦＰＣ構造のフレキシブルプリント配線板を提供できる。
【発明を実施するための最良の形態】
【０００９】
以下図面を参照して本発明の実施形態を説明する。  
本発明の実施形態に係るフレキシブルプリント配線板の要部の断面構造を図１に示し、同フレキシブルプリント配線板全体の平面構造を図２に示し、図２の一部を拡大した平面構造を図３に示している。図１は、図３に示すＡ−Ａ線に沿う断面構造を示し、図３は、図２に示す部分１ｓを拡大して示している。
【００１０】
本発明の実施形態に係るフレキシブルプリント配線板１Ａは、図１に示すように、一方面を露出したベース層１０と、このベース層１０の他方面に形成された信号層２０と、この信号層２０を覆い上記ベース層１０に積層されたカバー層３０と、このカバー層に被覆され上記信号層２０を覆う、金属粉と金属ナノ粒子を配合した導電性ペーストにより形成されたグランド層３３とを有して構成されている。
【００１１】
ベース層１０は、ベースポリイミド１１と、ベースレイ接着剤１２とにより構成されている。ベースレイ接着剤１２の表面は信号層２０のパターン形成面となり、銅パターンによる配線層を形成している。
【００１２】
信号層２０は、ベース層１０のベースレイ接着剤１２を絶縁基体として、該基体上に、対をなす信号ライン２２ａ，２２ｂと、この信号ライン２２ａ，２２ｂに並行するグランドライン２１とを形成している。信号ライン２２ａ，２２ｂは、ベース層１０の面上（接着剤１２の面上）で、互いに平行する二本の配線パターン（銅パターン）により構成され、差動伝送方式の信号伝送線路（差動信号伝送線路）となる。グランドライン２１は、図３に示すように、信号ライン２２ａ，２２ｂに沿い、信号ライン２２ａ，２２ｂと一定の間隔を存して信号ライン２２ａ，２２ｂの両側に設けられている。
【００１３】
カバー層３０は、カバーレイポリイミド３１と、カバーレイ接着剤３２とにより構成されている。カバー層３０には、グランド層３３が被覆され、さらにこのグランド層３３に保護層（オーバコート）３４が被覆されている。
【００１４】
グランド層３３は、銀粉と銀ナノ粒子とを配合した体積抵抗率（比抵抗）が３０μΩ・cm以下のハイブリットペースト（銀ハイブリットペースト）により構成されている。因みに一般に用いられている銀ペーストの体積抵抗率は４５μΩ・cm程度である。この銀ハイブリットペーストと銀ペーストとの構造上の違いについては図４（ａ），（ｂ）を参照して後述する。
【００１５】
上記信号層２０に設けられたグランドライン２１は、差動伝送線路を形成する信号ライン２２ａ，２２ｂの配線（布線）方向に沿い、所定の間隔でグランド層３３に導電接合している。この実施形態では、図３に示すように、グランドライン２１上に位置するカバー層３０の領域部分に、所定の間隔で、グランドライン２１の銅パターンが露出する導電接合用の開口（ＣＨ）を設け、この開口（ＣＨ）を介して上記ハイブリットペーストが塗り込まれ、このハイブリットペーストが図１に示すように開口（ＣＨ）を埋めることで上記グランドライン２１がグランド層３３にスポット状に導電接合されている。このグランドライン２１とグランド層３３の導電接合により、グランドライン２１は延長方向に対して、低抵抗（低インピーダンス）・同電位状態で保持されている。上記グランド層３３を構成するハイブリットペーストはオーバコート部材で被覆され、図１に示すようにグランド層３３の上に表面が平坦な保護被膜（カバー層３０）を形成している。
【００１６】
上記信号層２０に形成されたグランドライン２１と差動伝送線路を形成する信号ライン２２ａ，２２ｂは図２に示すコネクタＣＮａ，ＣＮｂを介して図示しない差動信号を扱う信号伝送回路にインピーダンスを整合させた状態で回路接続される（図６参照）。
【００１７】
上記した構成によるフレキシブルプリント配線板１Ａは、体積抵抗率（比抵抗）が３０μΩ・cm以下のハイブリットペーストによりグランド層３３を有する、単層の銅箔により構成された片面ＦＰＣであり、上記した両面ＦＰＣの問題点（片面ＦＰＣに較べて屈曲性に劣り、可動部への使用に対して耐久性に劣るという問題）を改善できるとともに、高周波帯域での伝送損失の劣化を改善できる。例えばＳＡＴＡ２（Ｓｅｒｉａｌ  ＡＴＡ２）仕様による通信速度３Ｇｂｐｓの信号伝送に十分適用可能な、高周波帯域での伝送損失が少ない伝送線路を実現できる。
【００１８】
上記したグランド層３３を形成する銀ハイブリットペーストの導電パスを、一般に用いられている銀ペーストの導電パスと対比させて、図４（ａ），（ｂ）にモデル化して示している。図４（ａ）は一般に用いられている銀ペーストの導電パスを示し、図４（ｂ）は上記グランド層３３を形成する銀ハイブリットペーストの導電パスを示している。図４（ａ），（ｂ）において、ｉは導電パス、４ａは銀粉、４ｂは数ナノメートル程度の銀ナノ粒子である。図４（ａ）に示す銀ペーストは銀粉４ａをバインダー樹脂（図示せず）と混合してペースト化したものであり、図４（ｂ）に示す銀ハイブリットペーストは銀粉４ａと銀ナノ粒子４ｂとバインダー樹脂（図示せず）とを混合してペースト化したものである。図４（ｂ）において、銀ナノ粒子４ｂは銀粉４ａ間の電気的コンタクトを強化する。
【００１９】
導電パス（ｉ）は、ペースト中の金属粒子の物理接触によって形成されるため、図４（ｂ）に示す銀ハイブリットペーストは、銀粉４ａ相互の間に銀ナノ粒子４ｂが介在して緻密な導電パス（ｉ）が形成され、導電性が飛躍的に向上し、銀粉４ａと銀ナノ粒子４ｂの配合比率を調整することで体積抵抗率を３０μΩ・cm以下とすることができる。
【００２０】
この図４（ｂ）に示す銀ハイブリットペースト（体積抵抗率；２６μΩ・cm）をグランド層に用いた差動伝送線路と、図４（ａ）に示す銀ペースト（体積抵抗率；４５μΩ・cm）をグランド層に用いた差動伝送線路とにおける伝送損失の特性上の比較を図５に示している。図５において、実線で示すＰａは図４（ｂ）に示した銀ハイブリットペーストをグランド層に用いた差動伝送線路の伝送損失特性であり、破線で示すＰｂは図４（ａ）に示した銀ペーストをグランド層に用いた差動伝送線路の伝送損失特性である。一点鎖線で示すＤＳは両面ＦＰＣの１層分の銅箔をグランド層とした差動伝送線路の伝送損失特性である。因みにＳＰは金属スパッタ膜によりグランド層を形成した差動伝送線路の伝送損失特性である。この図５に示す伝送損失特性から、銀ハイブリットペーストをグランド層に用いた差動伝送線路の伝送損失は、銀ペーストをグランド層に用いた差動伝送線路の伝送損失より低く、銅箔によりグランド層を形成した差動伝送線路に近い伝送損失特性であり、３Ｇｂｐｓ程度の高周波信号の伝送に十分適用可能であることが分かる。
【００２１】
上記した本発明の実施形態に係るフレキシブルプリント配線板１Ａは、片面ＦＰＣ構造であることから、両面ＦＰＣに較べて屈曲性に優れ、可動部への使用に対しても耐久性に優れている。さらに、グランド層３３に銀ハイブリットペーストを用いて伝送線路を形成したことにより、高周波帯域での伝送損失が改善されて、ＳＡＴＡ２（Ｓｅｒｉａｌ  ＡＴＡ２）仕様による通信速度３Ｇｂｐｓの信号伝送を可能にしている。
【００２２】
図６は、上記した実施形態に係るフレキシブルプリント配線板１Ａを小型電子機器、例えばハンディタイプのポータブルコンピュータに適用した構成例を示している。
【００２３】
図６に於いて、ポータブルコンピュータ５０の本体５１には、表示部筐体５２がヒンジ機構を介して回動自在に設けられている。本体５１には、操作入力部となるキーボード５３が設けられている。表示部筐体５２には例えば液晶パネルを用いた表示デバイス５４が設けられている。
【００２４】
また本体５１には、上記したフレキシブルプリント配線板１Ａ、およびこのフレキシブルプリント配線板１Ａにコネクタ接続され、このフレキシブルプリント配線板１Ａを介して相互に差動伝送方式による信号伝送を行う、リジッド基板で構成された回路板２Ａ，２Ｂが設けられている。この回路板２Ａ，２Ｂには差動伝送方式による信号の入出力ポートを構成する送受端回路素子ＰＡ，ＰＢが設けられている。送受端回路素子ＰＡ，ＰＢは、フレキシブルプリント配線板１Ａに設けられた信号ライン（差動伝送線路）２２ａ，２２ｂを介して差動伝送方式による信号（差動伝送信号）を送受する。
【００２５】
上記回路板２Ａ，２Ｂを相互に回路接続するフレキシブルプリント配線板１Ａは、上記図１乃至図３に示したように、一方面を露出したベース層１０と、このベース層１０の他方面に形成された信号層２０と、この信号層２０を覆い上記ベース層１０に積層されたカバー層３０と、このカバー層に被覆され上記信号層２０を覆うグランド層３３とを有して構成されている。このグランド層３３は、銀粉と銀ナノ粒子とを配合した体積抵抗率（比抵抗）が３０μΩ・cm以下の銀ハイブリットペーストにより構成されている。このフレキシブルプリント配線板１Ａは、片面ＦＰＣ構造であることから、両面ＦＰＣに較べて屈曲性に優れ、可動部への使用に対しても耐久性に優れている。さらに、グランド層３３に銀ハイブリットペーストを用いて伝送線路を形成したことにより、高周波帯域での伝送損失が改善されて、ＳＡＴＡ２（Ｓｅｒｉａｌ  ＡＴＡ２）仕様による通信速度３Ｇｂｐｓの信号伝送を可能にしている。
【００２６】
なお、上記した実施形態では、グランド層３３を銀ハイブリットペーストにより形成したが、例えば、金粉と金のナノ粒子を配合したハイブリットペースト、銀粉と金のナノ粒子を配合したハイブリットペースト等、銀以外の他の金属ナノ粒子を配合してもよい。また、上記した実施形態では、帯状のフレキシブルプリント配線板を例に、２本の信号ライン（差動伝送線路）と、この２本の信号ラインを挟むように同信号ラインに並行した２本のグランドラインを備えた信号層を示したが、これに限るものではなく、実施段階では本発明の要旨を逸脱しない範囲で構成要素の変形または変更が可能である。
【図面の簡単な説明】
【００２７】
【図１】本発明の実施形態に係るフレキシブルプリント配線板の要部の構成を示す側断面図。
【図２】上記実施形態に係るフレキシブルプリント配線板の構成を示す平面図。
【図３】上記実施形態に係るフレキシブルプリント配線板の要部の構成を示す平面図。
【図４】上記実施形態に係るフレキシブルプリント配線板のグランド層を形成する導電性ペーストの導電パスをモデル化して示す図。
【図５】上記実施形態に係るフレキシブルプリント配線板の伝送損失特性を示す図。
【図６】上記実施形態に係るフレキシブルプリント配線板を実装した電子機器の構成を示す側断面図。
【符号の説明】
【００２８】
１Ａ…フレキシブルプリント配線板、２Ａ，２Ｂ…回路板、１０…ベース層、１１…ベースポリイミド、１２…接着剤、２０…信号層、２１…グランドライン、２２ａ，２２ｂ…信号ライン（差動伝送線路）、３０…カバー層、３１…カバーレイポリイミド、３２…カバーレイ接着剤、３３…グランド層（銀粉と銀ナノ粒子を配合した体積抵抗率３０μΩ・cm以下の導電性ペーストにより形成されたグランド層）、３４…保護層（オーバコート）、ＣＨ…導電接合用の開口。
【図１】
2009177010.tif 000003
【図２】
2009177010.tif 000004
【図３】
2009177010.tif 000005
【図４】
2009177010.tif 000006
【図５】
2009177010.tif 000007
【図６】
2009177010.tif 000008